(57)【要約】【課題】良好な品質が要求される送信データの誤り率特性を格段に向上させ、かつ良好な品質が要求される送信データの品質の低下を防ぐこと。【解決手段】符号化部１０１は、送信データをターボ符号化してパリティビットデータと高品質が要求されるシステマティックビットデータとを出力する。変調部１０２は、パリティビットデータとシステマティクビットデータとを変調する。サブキャリア配置部１０３は、システマティックビットデータが中心周波数付近のサブキャリアに配置され、パリティビットデータが両端付近のサブキャリアに配置されるように送信データを並び替える。ＯＦＤＭ部１０４は、送信データを直交周波数分割多重して、各サブキャリアにパリティビットデータとシステマティックビットデータとを配置する。【選択図】      図１
2004187257.tif 000002
【特許請求の範囲】
【請求項１】
送信データを良好な品質を要求される高品質送信データと前記高品質送信データ以外の通常送信データとに分ける分割手段と、中心周波数付近のサブキャリアに前記高品質送信データが配置されるように前記送信データを並び替える並び替え手段と、前記並び替え手段により並び替えた前記送信データを直交周波数分割多重して各サブキャリアに配置する直交周波数分割多重手段と、を具備することを特徴とするマルチキャリア送信装置。
【請求項２】
前記並び替え手段により並び替えた前記送信データを拡散処理する拡散手段を具備し、前記直交周波数分割多重手段は、拡散処理した前記送信データを直交周波数分割多重して各サブキャリアに配置することを特徴とする請求項１記載のマルチキャリア送信装置。
【請求項３】
前記拡散手段は、前記高品質送信データと前記通常送信データとの拡散率を独立して設定することを特徴とする請求項２記載のマルチキャリア送信装置。
【請求項４】
前記拡散手段は、前記高品質送信データの拡散率を前記通常送信データの拡散率よりも大きくすることを特徴とする請求項２または請求項３記載のマルチキャリア送信装置。
【請求項５】
前記高品質送信データと前記通常送信データとの符号多重数を独立に設定することを特徴とする請求項２から請求項４のいずれかに記載のマルチキャリア送信装置。
【請求項６】
前記高品質送信データの符号多重数を前記通常送信データの符号多重数よりも少なくすることを特徴とする請求項２から請求項５のいずれかに記載のマルチキャリア送信装置。
【請求項７】
前記高品質送信データと前記通常送信データに割り当てる拡散符号数を独立に設定することを特徴とする請求項２から請求項６のいずれかに記載のマルチキャリア送信装置。
【請求項８】
前記高品質送信データに割り当てる拡散符号数を前記通常送信データに割り当てる拡散符号数よりも多くすることを特徴とする請求項２から請求項７のいずれかに記載のマルチキャリア送信装置。
【請求項９】
前記高品質送信データと前記通常送信データとを各々独立して設定した変調方式を用いて変調する変調手段を具備することを特徴とする請求項１から請求項８のいずれかに記載のマルチキャリア送信装置。
【請求項１０】
前記変調手段は、前記高品質送信データまたは前記通常送信データのいずれか一方の変調方式を固定にし、前記高品質送信データまたは前記通常送信データのいずれか他方の変調方式を適応的に変化させることを特徴とする請求項９記載のマルチキャリア送信装置。
【請求項１１】
前記変調手段は、前記高品質送信データと前記通常送信データとの両方の変調方式を適応的に変化させることを特徴とする請求項９記載のマルチキャリア送信装置。
【請求項１２】
前記変調手段は、隣接チャネル干渉波受信レベルに応じて変調方式を選択することを特徴とする請求項９から請求項１１のいずれかに記載のマルチキャリア送信装置。
【請求項１３】
前記高品質送信データと前記通常送信データとを独立してインタリーブするインタリーブ手段を具備し、前記並び替え手段は、インタリーブ後の前記送信データを並び替えることを特徴とする請求項１から請求項１２のいずれかに記載のマルチキャリア送信装置。
【請求項１４】
前記並び替え手段は、直流点を含むサブキャリアに前記通常送信データが配置されるように前記送信データを並び替えることを特徴とする請求項１から請求項１３のいずれかに記載のマルチキャリア送信装置。
【請求項１５】
前記高品質送信データの送信電力を前記通常送信データの送信電力よりも高く設定する送信電力設定手段を具備することを特徴とする請求項１から請求項１４のいずれかに記載のマルチキャリア送信装置。
【請求項１６】
前記送信電力設定手段は、前記高品質送信データと前記通常データの送信電力を可変にて設定することを特徴とする請求項１５記載のマルチキャリア送信装置。
【請求項１７】
前記送信電力設定手段は、前記高品質送信データ若しくは前記通常送信データとのいずれか一方の送信電力を可変にて設定することを特徴とする請求項１５記載のマルチキャリア送信装置。
【請求項１８】
前記送信電力設定手段は、送信電力を回線品質に応じて変化させることを特徴とする請求項１５から請求項１７のいずれかに記載のマルチキャリア送信装置。
【請求項１９】
前記直交周波数分割多重手段は、隣接チャネル干渉波受信レベルが高くなるほど前記高品質送信データを配置するサブキャリアの範囲を狭くすることを特徴とする請求項１から請求項１８のいずれかに記載のマルチキャリア送信装置。
【請求項２０】
前記送信データをターボ符号化する符号化手段を具備し、前記高品質送信データは、システマティックビットデータであり、前記通常送信データは、パリティビットデータであることを特徴とする請求項１から請求項１９のいずれかに記載のマルチキャリア送信装置。
【請求項２１】
前記高品質送信データは、遠く離れた通信相手へ送信する送信データであり、前記通常送信データは、近くの通信相手へ送信する送信データであることを特徴とする請求項１から請求項１９のいずれかに記載のマルチキャリア送信装置。
【請求項２２】
前記高品質送信データは、通信制御に使用される情報若しくは再送情報であることを特徴とする請求項１から請求項１９のいずれかに記載のマルチキャリア送信装置。
【請求項２３】
前記並び替え手段により並び替えられた前記通常送信データの一部と前記高品質送信データとが配置されたサブキャリアが送信されるように、前記通常送信データを選択する選択手段を具備することを特徴とする請求項１から請求項２２のいずれかに記載のマルチキャリア送信装置。
【請求項２４】
前記選択手段は、送信される前記通常送信データが配置されるサブキャリア数が可変になるように、前記通常送信データを選択することを特徴とする請求項１から請求項２３のいずれかに記載のマルチキャリア送信装置。
【請求項２５】
前記選択手段は、回線品質に応じて送信される前記通常送信データが配置されるサブキャリア数が可変になるように前記通常送信データを選択することを特徴とする請求項１から請求項２４のいずれかに記載のマルチキャリア送信装置。
【請求項２６】
前記選択手段は、前記送信データの遅延分散情報に基づいて送信される前記通常送信データが配置されるサブキャリア数が可変になるように前記通常送信データを選択することを特徴とする請求項１から請求項２５のいずれかに記載のマルチキャリア送信装置。
【請求項２７】
前記選択手段は、所定の受信レベル以上のサブキャリアに配置される前記通常送信データを選択することを特徴とする請求項１から請求項２６のいずれかに記載のマルチキャリア送信装置。
【請求項２８】
前記選択手段は、隣接チャネル干渉波受信レベルに応じて、送信される前記通常送信データが配置されるサブキャリア数が可変になるように選択することを特徴とする請求項１から請求項２７のいずれかに記載のマルチキャリア送信装置。
【請求項２９】
請求項１から請求項２８のいずれかに記載のマルチキャリア送信装置を具備することを特徴とする基地局装置。
【請求項３０】
請求項１から請求項２８のいずれかに記載のマルチキャリア送信装置を具備することを特徴とする通信端末装置。
【請求項３１】
送信データを良好な品質を要求される高品質送信データと前記高品質送信データ以外の通常送信データとに分ける工程と、中心周波数付近のサブキャリアに前記高品質送信データが配置されるように前記送信データを並び替える工程と、並び替えた前記送信データを直交周波数分割多重して各サブキャリアに配置する工程と、を具備することを特徴とするマルチキャリア送信方法。
【請求項３２】
前記送信データを拡散する工程を具備することを特徴とする請求項３１記載のマルチキャリア送信方法。
【請求項３３】
前記高品質送信データと前記通常送信データとを各々独立して設定した変調方式を用いて変調する工程を具備することを特徴とする請求項３１または請求項３２記載のマルチキャリア送信方法。
【請求項３４】
隣接チャネル干渉波受信レベルに応じて変調方式を選択する工程を具備することを特徴とする請求項３３記載のマルチキャリア送信方法。
【請求項３５】
前記高品質送信データは、遠く離れた通信相手へ送信する送信データであり、前記通常送信データは、近くの通信相手へ送信する送信データであることを特徴とする請求項３１から請求項３４のいずれかに記載のマルチキャリア送信方法。
【請求項３６】
前記高品質送信データと前記通常送信データとを独立してインタリーブする工程を具備することを特徴とする請求項３１から請求項３５のいずれかに記載のマルチキャリア送信方法。
【請求項３７】
前記並び替え手段により並び替えられた前記通常送信データの一部と前記高品質送信データとが配置されたサブキャリアが送信されるように、前記通常送信データを選択することを特徴とする請求項３１から請求項３６のいずれかに記載のマルチキャリア送信方法。
【発明の詳細な説明】
【０００１】
【発明の属する技術分野】
本発明は、マルチキャリア送信装置及びマルチキャリア送信方法に関する。
【０００２】
【従来の技術】
誤り訂正符号化方式にターボ符号があり、３ＧＰＰで標準化として採用されている（例えば、特許文献１参照。）。このターボ符号は、他の誤り訂正方式と比較すると、非常に良好な誤り率特性がえられることが特徴である。
【０００３】
また、第４世代に有効な通信方式としてＯＦＤＭがあり、第４世代の通信方式として有力視されている。一方、ＯＦＤＭは、干渉波が存在すると全く通信できなくなるため、逆拡散処理により他のセルからの干渉を低減することにより、他のセルからの干渉波が存在する場合でも通信可能であるＣＤＭＡとＯＦＤＭとを組み合わせたＯＦＤＭ−ＣＤＭＡ通信方式が知られている。
【０００４】
このように、ターボ符号化とＯＦＤＭ通信方式との組み合わせ若しくはターボ符号化とＯＦＤＭ−ＣＤＭＡ通信方式との組み合わせを用いることにより、誤り率特性を向上させることができる。
【０００５】
【特許文献１】
特開２００２−２１７７４８号公報
【０００６】
【発明が解決しようとする課題】
しかしながら、従来のマルチキャリア送信装置及びマルチキャリア送信方法においては、ターボ符号化とＯＦＤＭ通信方式若しくはターボ符号化とＯＦＤＭ−ＣＤＭＡ通信方式を組み合わせることによりある程度誤り率特性を向上させることができるが、複数のチャネルを用いて同時に送信する場合においては、異なるチャネル同士の送信信号が干渉し合うため、誤り率特性の向上に限界があるという問題がある。
【０００７】
本発明はかかる点に鑑みてなされたものであり、良好な品質が要求される送信データの誤り率特性を格段に向上させ、かつ良好な品質が要求される送信データの品質の低下を防ぐことができるマリチキャリア送信装置及びマルチキャリア送信方法を提供することを目的とする。
【０００８】
【課題を解決するための手段】
本発明のマルチキャリア送信装置は、送信データを良好な品質を要求される高品質送信データと前記高品質送信データ以外の通常送信データとに分ける分割手段と、中心周波数付近のサブキャリアに前記高品質送信データが配置されるように前記送信データを並び替える並び替え手段と、前記並び替え手段により並び替えた前記送信データを直交周波数分割多重して各サブキャリアに配置する直交周波数分割多重手段と、を具備する構成を採る。
【０００９】
この構成によれば、高品質送信データを、隣接チャネル干渉波の影響の少ない中心周波数付近のサブキャリアに配置したので、伝送効率を低下させずに、良好な品質が要求される送信データの誤り率特性を向上させて、良好な品質が要求される送信データの品質の低下を防ぐことができる。
【００１０】
本発明のマルチキャリア送信装置は、前記並び替え手段により並び替えた前記送信データを拡散処理する拡散手段を具備し、前記直交周波数分割多重手段は、拡散処理した前記送信データを直交周波数分割多重して各サブキャリアに配置する構成を採る。
【００１１】
この構成によれば、送信データは、ＣＤＭＡとマルチキャリアとを組合わせた通信方式により送信されるので、周波数利用効率及び伝送効率を低下させずに、他のセルからの干渉が存在する場合でも誤り率特性を向上させることができる。
【００１２】
本発明のマルチキャリア送信装置における前記拡散手段は、前記高品質送信データと前記通常送信データとの拡散率を独立して設定する構成を採る。
【００１３】
この構成によれば、高品質送信データと通常送信データとで異なる拡散率にすることができるので、高品質送信データの誤り率特性を向上させる必要がある場合及び通常送信データの誤り率特性を向上させる必要がある場合にそれぞれ個別に対応することができ、高品質送信データと通常送信データとで独立して誤り率特性の向上を図ることができる。
【００１４】
本発明のマルチキャリア送信装置における前記拡散手段は、前記高品質送信データの拡散率を前記通常送信データの拡散率よりも大きくする構成を採る。
【００１５】
この構成によれば、受信側にて高品質送信データを精度良く復元することができるため、良好な品質を要求される高品質送信データの誤り率特性を向上させることができる。
【００１６】
本発明のマルチキャリア送信装置は、前記高品質送信データと前記通常送信データとの符号多重数を独立に設定する構成を採る。
【００１７】
この構成によれば、高品質送信データと通常送信データとで異なる符号多重数にすることができるので、高品質送信データの誤り率特性を向上させる必要がある場合及び通常送信データの誤り率特性を向上させる必要がある場合にそれぞれ個別に対応することができ、高品質送信データと通常送信データとで独立して誤り率特性の向上を図ることができる。
【００１８】
本発明のマルチキャリア送信装置は、前記高品質送信データの符号多重数を前記通常送信データの符号多重数よりも少なくする構成を採る。
【００１９】
この構成によれば、高品質送信データの送信電力を高くすることができるため、良好な品質を要求される高品質送信データの誤り率特性を向上させることができる。
【００２０】
本発明のマルチキャリア送信装置は、前記高品質送信データと前記通常送信データに割り当てる拡散符号数を独立に設定する構成を採る。
【００２１】
この構成によれば、高品質送信データと通常送信データとで異なる拡散符号数にすることができるので、高品質送信データの誤り率特性を向上させる必要がある場合及び通常送信データの誤り率特性を向上させる必要がある場合にそれぞれ個別に対応することができ、高品質送信データと通常送信データとで独立して誤り率特性の向上を図ることができる。
【００２２】
本発明のマルチキャリア送信装置は、前記高品質送信データに割り当てる拡散符号数を前記通常送信データに割り当てる拡散符号数よりも多くする構成を採る。
【００２３】
この構成によれば、高品質送信データにおけるダイバーシチ効果により、良好な品質を要求される高品質送信データの誤り率特性を向上させることができる。
【００２４】
本発明のマルチキャリア送信装置は、前記高品質送信データと前記通常送信データとを各々独立して設定した変調方式を用いて変調する変調手段を具備する構成を採る。
【００２５】
この構成によれば、前記高品質送信データと前記通常送信データとで異なる変調方式により変調することができるので、高品質送信データの誤り率特性を向上させる必要がある場合及び通常送信データの誤り率特性を向上させる必要がある場合に、それぞれ個別に対応することができ、高品質送信データと通常送信データとで独立して誤り率特性の向上を図ることができる。また、誤り率特性と伝送効率との両立を図ることができる。
【００２６】
本発明のマルチキャリア送信装置における前記変調手段は、前記高品質送信データまたは前記通常送信データのいずれか一方の変調方式を固定にし、前記高品質送信データまたは前記通常送信データのいずれか他方の変調方式を適応的に変化させる構成を採る。
【００２７】
この構成によれば、高品質送信データを適応変調することにより、回線品質が良好な時には多値数が多い変調方式により変調することにより伝送効率を上げることができるので、さらなる伝送効率と誤り率特性の両立を図ることができる。
【００２８】
本発明のマルチキャリア送信装置における前記変調手段は、前記高品質送信データと前記通常送信データとの両方の変調方式を適応的に変化させる構成を採る。
【００２９】
この構成によれば、高品質送信データの変調方式における多値数を、常に通常送信データの変調方式における多値数以下にして、高品質送信データと通常送信データの両方を適応変調することができるので、高品質送信データにおける誤り率特性を確実に向上させることができるとともに、さらなる伝送効率と誤り率特性の両立を図ることができる。
【００３０】
本発明のマルチキャリア送信装置における前記変調手段は、隣接チャネル干渉波受信レベルに応じて変調方式を選択する構成を採る。
【００３１】
この構成によれば、隣接チャネル干渉波受信レベルに応じて高品質送信データ及び通常送信データの変調方式を変更することができるので、誤り率特性と伝送効率との両立を図ることができるとともに、隣接チャネル干渉波の影響を最小限にすることができる。
【００３２】
本発明のマルチキャリア送信装置は、前記高品質送信データと前記通常送信データとを独立してインタリーブするインタリーブ手段を具備し、前記並び替え手段は、インタリーブ後の前記送信データを並び替える構成を採る。
【００３３】
この構成によれば、高品質送信データと通常送信データとを独立にインタリーブした後に並び替えを行うので、インタリーブにより高品質送信データが両端周波数側のサブキャリアに配置されてしまうことを防ぐことができる。
【００３４】
本発明のマルチキャリア送信装置における前記並び替え手段は、直流点を含むサブキャリアに前記通常送信データが配置されるように前記送信データを並び替える構成を採る。
【００３５】
この構成によれば、無線送信部の増幅器のアナログ回路により発生する直流オフセットの影響により、劣化する度合いが高い直流点を含むサブキャリアに、高品質送信データを配置しないので、高品質送信データの誤り率特性の劣化を防ぐことができる。
【００３６】
本発明のマルチキャリア送信装置は、前記高品質送信データの送信電力を前記通常送信データの送信電力よりも高く設定する送信電力設定手段を具備する構成を採る。
【００３７】
この構成によれば、高品質送信データの送信電力を通常送信データの送信電力に比べて高くするので、高品質送信データの誤り率特性を向上させることができる。
【００３８】
本発明のマルチキャリア送信装置における前記送信電力設定手段は、前記高品質送信データと前記通常データの送信電力を可変にて設定する構成を採る。
【００３９】
この構成によれば、高品質送信データの要求される誤り率特性の度合いに応じて送信電力を自由に設定することができるので、高品質送信データの誤り率特性を確実に向上させることができる。
【００４０】
本発明のマルチキャリア送信装置における前記送信電力設定手段は、前記高品質送信データ若しくは前記通常送信データとのいずれか一方の送信電力を可変にて設定する構成を採る。
【００４１】
この構成によれば、高品質送信データ及び通常送信データの要求される誤り率特性の度合いに応じて送信電力を自由に設定することができるので、高品質送信データの誤り率特性を確実に向上させることができる。また、通常送信データの送信電力を可変に設定することとした場合は、通常送信データの誤り率特性が極端に劣化することを防止して、送信データ全体の誤り率特性の劣化を防ぐことができる。
【００４２】
本発明のマルチキャリア送信装置における前記送信電力設定手段は、送信電力を回線品質に応じて変化させる構成を採る。
【００４３】
この構成によれば、回線品質が劣化しても、確実に送信データの誤り率特性の劣化を防止することができる。
【００４４】
本発明のマルチキャリア送信装置における前記直交周波数分割多重手段は、隣接チャネル干渉波受信レベルが高くなるほど前記高品質送信データを配置するサブキャリアの範囲を狭くする構成を採る。
【００４５】
この構成によれば、隣接チャネル干渉波受信レベルが高い時には高品質送信データを配置するサブキャリアの範囲を狭くし、隣接チャネル干渉波受信レベルが低い時には高品質送信データを配置するサブキャリアの範囲を広くするので、隣接チャネル干渉波の影響により高品質送信データの誤り率特性が劣化することを確実に防ぐことができる。
【００４６】
本発明のマルチキャリア送信装置は、前記送信データをターボ符号化する符号化手段を具備し、前記高品質送信データは、システマティックビットデータであり、前記通常送信データは、パリティビットデータである構成を採る。
【００４７】
この構成によれば、ターボ符号化により誤り率特性を向上することができることに加えて、システマティックビットデータを中心周波数付近のサブキャリアに配置するので、伝送効率を低下させずに、さらなる誤り率特性の向上を図ることができる。
【００４８】
本発明のマルチキャリア送信装置は、前記高品質送信データは、遠く離れた通信相手へ送信する送信データであり、前記通常送信データは、近くの通信相手へ送信する送信データである構成を採る。
【００４９】
この構成によれば、回線品質が劣化する可能性が高い遠く離れたユーザへ送信する送信データの誤り率特性を向上させることができる。
【００５０】
本発明のマルチキャリア送信装置における前記高品質送信データは、通信制御に使用される情報若しくは再送情報である構成を採る。
【００５１】
この構成によれば、通信制御に用いる制御信号の誤り率特性の劣化により、通信不能になること若しくは誤り訂正回数の増加等による通信制御の遅延を防ぐことができる。また、再送情報を送信する信号の劣化による再送回数の増加を防ぐことにより、伝送効率を向上させることができる。
【００５２】
本発明のマルチキャリア送信装置は、前記並び替え手段により並び替えられた前記通常送信データの一部と前記高品質送信データとが配置されたサブキャリアが送信されるように、前記通常送信データを選択する選択手段を具備する構成を採る。
【００５３】
この構成によれば、例えばサブキャリアに配置されたパリティビットデータのような通常送信データの一部を送信しないようにするので、誤り率特性を劣化させずに、ピーク電力の低減と帯域外漏洩の低減効果との両立を図ることができる。
【００５４】
本発明のマルチキャリア送信装置における前記選択手段は、送信される前記通常送信データが配置されるサブキャリア数が可変になるように、前記通常送信データを選択する構成を採る。
【００５５】
この構成によれば、送信しない通常送信データが配置されるサブキャリア数を可変にするので、通信環境等に応じて柔軟にピーク電力の低減と帯域外漏洩の低減効果との両立を図ることができる。
【００５６】
本発明のマルチキャリア送信装置における前記選択手段は、回線品質に応じて送信される前記通常送信データが配置されるサブキャリア数が可変になるように前記通常送信データを選択する構成を採る。
【００５７】
この構成によれば、回線品質に応じて送信しない通常送信データが配置されるサブキャリア数を可変にするので、誤り率特性とピーク電力の低減及び帯域外漏洩の低減効果との両立を図ることができる。
【００５８】
本発明のマルチキャリア送信装置における前記選択手段は、前記送信データの遅延分散情報に基づいて送信される前記通常送信データが配置されるサブキャリア数が可変になるように前記通常送信データを選択する構成を採る。
【００５９】
この構成によれば、遅延分散情報を考慮して送信しない通常送信データが配置されるサブキャリア数を可変にするので、一時的な送信データの遅延であるために送信しないサブキャリア数を変える必要がない場合に、不用意に送信しないサブキャリア数を変えてしまうことにより、ピーク電力が高くなりすぎて帯域外漏洩が大きくなることまたは誤り率特性が劣化することを防ぐことができる。
【００６０】
本発明のサブキャリア送信装置における前記選択手段は、所定の受信レベル以上のサブキャリアに配置される前記通常送信データを選択する構成を採る。
【００６１】
この構成によれば、受信レベルが落ち込んだサブキャリアに配置された通常送信データは、次回の送信の際には送信しないようにするので、さらに誤り率特性とピーク電力の低減及び不要周波数成分の低減との両立を図ることができる。
【００６２】
本発明のサブキャリア送信装置における前記選択手段は、隣接チャネル干渉波受信レベルに応じて、送信される前記通常送信データが配置されるサブキャリア数が可変になるように選択する構成を採る。
【００６３】
この構成によれば、隣接チャネル干渉波の影響が大きい両端付近のサブキャリアに配置された通常送信データを送信しないので、誤り率特性を劣化させずにピーク電力の低減と不要周波数成分の低減を図ることができる。
【００６４】
本発明の基地局装置は、上記のいずれかに記載のマルチキャリア送信装置を具備する構成を採る。
【００６５】
この構成によれば、高品質送信データを、隣接チャネル干渉波の影響の少ない中心周波数付近のサブキャリアに配置したので、基地局装置から通信端末装置へ送信信号を送信する際に、良好な品質が要求される送信データの誤り率特性を向上させて、良好な品質が要求される送信データの品質の低下を防ぐことができる。また、基地局と通信端末装置との通信において、伝送効率と誤り率特性との両立を図ることができる。
【００６６】
本発明の通信端末装置は、上記のいずれかに記載のマルチキャリア送信装置を具備する構成を採る。
【００６７】
この構成によれば、高品質送信データを、隣接チャネル干渉波の影響の少ない中心周波数付近のサブキャリアに配置したので、通信端末装置から基地局装置へ送信信号を送信する際に、良好な品質が要求される送信データの誤り率特性を向上させて、良好な品質が要求される送信データの品質の低下を防ぐことができる。また、基地局と通信端末装置との通信において、伝送効率と誤り率特性との両立を図ることができる。
【００６８】
本発明のマルチキャリア送信方法は、送信データを良好な品質を要求される高品質送信データと前記高品質送信データ以外の通常送信データとに分ける工程と、中心周波数付近のサブキャリアに前記高品質送信データが配置されるように前記送信データを並び替える工程と、並び替えた前記送信データを直交周波数分割多重して各サブキャリアに配置する工程と、を具備することである。
【００６９】
この方法によれば、高品質送信データを、隣接チャネル干渉波の影響の少ない中心周波数付近のサブキャリアに配置したので、伝送効率を低下させずに、良好な品質が要求される送信データの誤り率特性を向上させて、良好な品質が要求される送信データの品質の低下を防ぐことができる。
【００７０】
本発明のマルチキャリア送信方法は、前記送信データを拡散する工程を具備することである。
【００７１】
この方法によれば、送信データは、拡散処理と直交周波数分割多重を行うＯＦＤＭ−ＣＤＭＡ通信方式により送信されるので、周波数利用効率を低下させずに、他のセルからの干渉が存在する場合でも誤り率特性を向上させることができる。
【００７２】
本発明のマルチキャリア送信方法は、前記高品質送信データと前記通常送信データとを各々独立して設定した変調方式を用いて変調する工程を具備することである。
【００７３】
この方法によれば、前記高品質送信データと前記通常送信データとで異なる変調方式により変調することができるので、高品質送信データの誤り率特性を向上させる必要がある場合及び通常送信データの誤り率特性を向上させる必要がある場合に、それぞれ個別に対応することができる。また、伝送効率と誤り率特性との両立を図ることができる。
【００７４】
本発明のマルチキャリア送信方法は、隣接チャネル干渉波受信レベルに応じて変調方式を選択する工程を具備することである。
【００７５】
この方法によれば、隣接チャネル干渉波受信レベルに応じて高品質送信データ及び通常送信データの変調方式を変更することができるので、伝送効率と誤り率特性との両立を図ることができるとともに、隣接チャネル干渉波の影響を最小限にすることができる。
【００７６】
本発明のマルチキャリア送信方法は、前記高品質送信データは、遠く離れた通信相手へ送信する送信データであり、前記通常送信データは、近くの通信相手へ送信する送信データであることである。
【００７７】
この方法によれば、回線品質が劣化する可能性が高い遠く離れたユーザへ送信する送信データの誤り率特性を向上させることができる。
【００７８】
本発明のマルチキャリア送信方法は、前記高品質送信データと前記通常送信データとを独立してインタリーブする工程を具備することである。
【００７９】
この方法によれば、高品質送信データと通常送信データとを独立にインタリーブした後に並び替えを行うので、インタリーブにより高品質送信データが両端周波数側のサブキャリアに配置されてしまうことを防ぐことができる。
【００８０】
本発明のマルチキャリア送信方法は、前記並び替え手段により並び替えられた前記通常送信データの一部と前記高品質送信データとが配置されたサブキャリアが送信されるように、前記通常送信データを選択することである。
【００８１】
この方法によれば、例えばサブキャリアに配置されたパリティビットデータのような通常送信データの一部を送信しないようにするので、誤り率特性を劣化させずに、ピーク電力の低減と帯域外漏洩の低減効果との両立を図ることができる。
【００８２】
【発明の実施の形態】
本発明の骨子は、システマティックビット等の良好な品質が要求される送信データを、中心周波数付近のサブキャリアに配置することである。
【００８３】
以下、本発明の実施の形態について、図面を参照して詳細に説明する。
【００８４】
（実施の形態１）
図１は、本実施の形態に係るマリチキャリア送信装置１００の構成を示す図であり、図２は、符号化部１０１の構成を示す図であり、図３は、各サブキャリアに対する送信データの配置を示す図である。
【００８５】
マルチキャリア送信装置１００は、符号化部１０１、変調部１０２、サブキャリア配置部１０３、ＯＦＤＭ部１０４、アンプ１０５、アンテナ１０６、ＦＦＴ部１０７、復調部１０８及び送信電力制御部１０９とから主に構成される。
【００８６】
分割手段である符号化部１０１は、例えばターボ符号器であり、入力した送信データの一部を符号化せずにシステマティックビットデータとして変調部１０２へ出力するとともに、入力した送信データの残りの一部に対して再帰畳み込み符号化を行って、パリティビットデータとして変調部１０２へ出力する。なお、符号化部１０１の詳細については、後述する。
【００８７】
変調部１０２は、符号化部１０１から入力した高品質送信データであるシステマティックビットデータと通常送信データであるパリティビットデータとに対して各々変調処理を施し、変調したシステマティックビットデータとパリティビットデータとの各々をサブキャリア配置部１０３へ出力する。変調部１０２において用いられる変調方式は、回線品質によって適応的に変化させるものであり、１６ＱＡＭ若しくはＱＰＳＫが用いられる。そして、システマティックビットデータとパリティビットデータとの両方は、同一の変調方式によって変調される。なお、変調方式は、１６ＱＡＭ若しくはＱＰＳＫに限らず、１６ＱＡＭ及びＱＰＳＫ以外の変調方式を用いても良い。
【００８８】
並び替え手段であるサブキャリア配置部１０３は、送信データが配置されるサブキャリアの周波数領域内で、変調部１０２から入力したシステマティックビットデータが中心周波数付近のサブキャリアに配置され、パリティビットデータが両端付近のサブキャリアに配置されるように、システマティックビットデータとパリティビットデータとの並び替えを行う。システマティックビットデータとパリティビットデータとが配置されるサブキャリアの周波数軸上の領域は、サブキャリア配置部１０３に入力する隣接チャネル干渉波受信レベルに応じて変更される。即ち、隣接チャネル干渉波受信レベルが高い場合は、システマティックビットデータが、中心周波数Ｆ１を含む狭い周波数領域のサブキャリアに配置されるように送信データの並び替えを行う。一方、隣接チャネル干渉波受信レベルが低い場合は、システマティックビットデータが、中心周波数Ｆ１を含む広い周波数領域のサブキャリアに配置されるように送信データの並び替えを行う。そして、サブキャリア配置部１０３は、並び替えたシステマティックビットデータ及びパリティビットデータからなる送信データをＯＦＤＭ部１０４へ出力する。
【００８９】
直交周波数分割多重手段であるＯＦＤＭ部１０４は、サブキャリア配置部１０３から入力した送信データを直並列変換処理した後に逆高速フーリエ変換（ＩＦＦＴ）処理することにより、直交周波数分割多重してＯＦＤＭ信号を生成し、生成したＯＦＤＭ信号をアンプ１０５を介してアンテナ１０６から送信する。なお、各サブキャリアに対する送信データの配置の方法は、後述する。
【００９０】
アンプ１０５は、ＯＦＤＭ部１０４から入力した送信データを、送信電力制御部１０９から制御された所定の送信電力にてアンテナ１０６から送信する。この時に、中心周波数付近のサブキャリアに配置されたシステマティックビットデータの送信電力を、両端付近のサブキャリアに配置されたパリティビットデータの送信電力よりも大きい送信電力にて送信する。
【００９１】
ＦＴＴ部１０７は、アンテナ１０６にて受信した受信データに対して、高速フーリエ変換（ＦＴＴ）処理を施して復調部１０８へ出力する。
【００９２】
復調部１０８は、ＦＦＴ部１０７から入力した受信データを復調して受信データをえるとともに、復調した受信データを送信電力制御部１０９へ出力する。
【００９３】
送信電力設定手段である送信電力制御部１０９は、復調部１０８から入力した受信データより送信電力を決定し、決定した送信電力にて送信データを送信するようにアンプ１０５に対して送信電力制御を行う。送信電力制御部１０９は、中心周波数付近のサブキャリアに配置されているシステマティックビットデータの送信電力を、両端周波数側のサブキャリアに配置されているパリティビットデータの送信電力よりも大きくなるように送信電力制御を行う。これにより、送信電力は、回線品質によって変化させることができる。したがって、送信データは、回線品質に応じた送信電力にて送信される。
【００９４】
次に、符号化部１０１の構成の詳細について、図２を用いて説明する。符号化部１０１は、インタリーバ２０１、畳み込み符号化部２０２及び畳み込み符号化部２０３とから主に構成される。
【００９５】
インタリーバ２０１は、送信データを並び替える処理であるインタリーブして畳み込み符号化部２０３へ出力する。
【００９６】
畳み込み符号化部２０２は、送信データの一部を再帰畳み込み符号化して変調部１０２へ出力する。畳み込み符号化部２０２からの出力が、パリティビットデータである。
【００９７】
畳み込み符号化部２０３は、インタリーバ２０１から入力した送信データの一部を再帰畳み込み符号化して変調部１０２へ出力する。畳み込み符号化部２０３からの出力が、パリティビットデータである。なお、符号化部１０１に入力した送信データの一部は、符号化されずにそのまま出力される。この出力がシステマティックビットデータである。
【００９８】
次に、各サブキャリアに対する送信データの配置について、図３を用いて説明する。図３は、各サブキャリアを周波数軸上に配列したものであり、中心周波数Ｆ１を中心にして左右同一周波数幅に各サブキャリアが配置されている。図３のＬ１が、システマティックビットデータとパリティビットデータとからなる送信データが配置されるサブキャリアの周波数領域である。サブキャリア３０１、３０２は、端部のサブキャリアである。サブキャリア３０４からサブキャリア３０５までが、中心周波数付近のサブキャリアである。また、サブキャリア３０１からサブキャリア３０６まで及びサブキャリア３０２からサブキャリア３０７までが、端部付近のサブキャリアである。
【００９９】
サブキャリア３０１よりも低い周波数側（図３の左側）及びサブキャリア３０２よりも高い周波数側（図３の右側）には、隣接チャネル干渉波が存在している。したがって、中心周波数Ｆ１からサブキャリア３０１、３０２へ向かうにしたがって隣接チャネル干渉波の影響が次第に大きくなり、これにより中心周波数Ｆ１からサブキャリア３０１、３０２へ向かうにしたがって誤り率特性が次第に劣化する。
【０１００】
そして、ＯＦＤＭ部１０４にて周波数分割多重処理を行った後の送信データは、周波数領域Ｗ１、Ｗ３のサブキャリアにパリティビットデータが配置され、周波数領域Ｗ２のサブキャリアにシステマティックビットデータが配置される。システマティックビットデータが配置されるサブキャリアの周波数領域Ｗ２は、隣接チャネル干渉波の受信レベルに応じて変更される。即ち、隣接チャネル干渉波受信レベルが高い場合は、システマティックビットデータが配置される周波数領域Ｗ２の範囲を狭くし、隣接チャネル干渉波受信レベルが低い場合は、システマティックビットデータが配置される周波数領域Ｗ２の範囲を広くする。
【０１０１】
次に、送信データが、システマティックビットデータとパリティビットデータ以外である他の例について説明する。送信データが、システマティックビットデータとパリティビットデータ以外である他の例として、良好な品質が要求される制御情報若しくは再送情報等の送信データと通常の品質で良い制御情報及び再送情報以外の送信データとを各サブキャリアに配置する場合についても本実施の形態を適用できる。この場合には、符号化部１０１は、必ずしもターボ符号器でなくても良く、ターボ符号器以外の符号器が適用できる。なお、制御情報は、通信制御に使用される情報であり、再送情報は、受信側においてデータに誤りが生じることにより正しく復調できない場合に、再度データを送信してもらう際の情報である。符号化部１０１は、良好な品質が要求される送信データと通常の品質で良い送信データとに分けてサブキャリア配置部１０３へ出力する。
【０１０２】
サブキャリア配置部１０３は、中心周波数Ｆ１の付近のサブキャリアには良好な品質が要求される送信データが配置され、両端付近のサブキャリアには通常の品質で良い送信データが配置されるように送信データを並び替える。
【０１０３】
そして、ＯＦＤＭ部１０４によって直交周波数分割多重された送信データは、中心周波数Ｆ１の付近の周波数領域Ｗ２のサブキャリアには良好な品質が要求される送信データが配置され、両端付近の周波数領域Ｗ１、Ｗ３のサブキャリアには通常の品質で良い送信データが配置される。
【０１０４】
このように、本実施の形態におけるマルチキャリア送信装置及びマルチキャリア送信方法によれば、中心周波数付近のサブキャリアにシステマティックビットデータを配置し、両端付近のサブキャリアにパリティビットデータを配置するので、良好な品質が要求される送信データの誤り率特性を向上させて、良好な品質が要求される送信データの通信品質を向上させることができる。また、中心周波数付近のサブキャリアに制御情報若しくは再送情報等の良好な品質が要求される送信データを配置し、両端付近のサブキャリアに制御情報及び再送情報等以外の通常の品質で良い送信データを配置するので、良好な品質が要求される送信データの誤り率特性を向上させて、制御情報若しくは再送情報等の良好な品質が要求される送信データの通信品質を向上させることができる。また、中心周波数付近のサブキャリアに配置されているシステマティックビットデータの送信電力を、両端周波数側のサブキャリアに配置されているパリティビットデータの送信電力よりも大きくなるように送信電力制御を行うので、システマティックビットデータの誤り率特性を向上させることができる。
【０１０５】
なお、本実施の形態においては、復調結果を用いて回線品質に応じた送信電力制御を行うこととしたが、必ずしも復調結果に応じた送信電力制御を行う必要はなく、復調結果とは無関係に、送信電力を可変にて設定しても良い。また、本実施の形態においては、システマティックビットデータとパリティビットデータとの両方の送信電力を可変にすることとしたが、システマティックビットデータとパリティビットデータとの両方の送信電力を可変にする場合に限らず、システマティックビットデータ若しくはパリティビットデータのいずれか一方の送信電力のみを可変にしても良い。また、システマティックビットデータの送信電力をパリティビットデータの送信電力よりも大きくしたが、システマティックビットデータの送信電力をパリティビットデータの送信電力よりも大きくする場合に限らず、システマティックビットデータとパリティビットデータとの送信電力を同じにしても良いし、パリティビットデータの送信電力をシステマティックビットデータの送信電力よりも大きくしても良い。また、送信データは、システマティックビットデータ及びパリティビットデータに限らず、システマティックビットデータ及びパリティビットデータ以外の要求される品質が異なるデータであっても良い。この場合は、符号化部１０１はターボ符号器以外の符号器が適用できる。
【０１０６】
（実施の形態２）
図４は、本発明の実施の形態２に係るマルチキャリア送信装置４００の構成を示す図であり、図５及び図６は、各サブキャリアに対するデータの配置を示す図である。本実施の形態は、通信方式として、ＣＤＭＡとマルチキャリアとを組合わせた通信方式を使用する。
【０１０７】
第４世代に有力な通信方式として、ＣＤＭＡとＯＦＤＭとを組合わせたＯＦＤＭ−ＣＤＭＡ通信方式がある。ＯＦＤＭ−ＣＤＭＡ通信方式は、逆拡散処理により他のセルからの干渉を低減できるため、他のセルからの干渉が存在する場合でも通信可能であることが、干渉波が存在すると全く通信できなくなるＯＦＤＭと大きく異なる。なお、本実施の形態は、図４において拡散部４０１及び逆拡散部４０２を設ける構成が図１と相違しており、その他の構成は図１と同一構成であるので、同一の符号を付してその説明を省略する。
【０１０８】
ＯＦＤＭ−ＣＤＭＡ通信方式では、サブキャリアを複数のグループに分けて、サブキャリアグループ毎にユーザを割り当てる方法がある。
【０１０９】
拡散部４０１は、拡散比がサブキャリア数の１／５になるようにサブキャリア配置部１０３から入力した送信データを拡散処理してＯＦＤＭ部１０４へ出力する。
【０１１０】
ＯＦＤＭ部１０４は、拡散部４０１から入力した拡散処理された送信データを直並列変換処理した後に逆高速フーリエ変換処理及び並直列変換処理し、拡散後のチップを互いに直交関係にある複数のサブキャリアに振り分けて配置させることにより、直交周波数分割多重してＯＦＤＭ信号を生成し、生成したＯＦＤＭ信号をアンプ１０５を介してアンテナ１０６から送信する。
【０１１１】
逆拡散部４０２は、復調部１０８より入力した受信データに対して逆拡散処理を施して受信データをえるとともに、逆拡散処理した受信データを送信電力制御部１０９へ出力する。
【０１１２】
送信電力制御部１０９は、逆拡散部４０２から入力した受信データより送信電力を決定し、決定した送信電力にて送信データを送信するようにアンプ１０５に対して送信電力制御を行う。送信電力制御部１０９は、中心周波数付近のサブキャリアに配置されているシステマティックビットデータの送信電力を、両端周波数側のサブキャリアに配置されているパリティビットデータの送信電力よりも大きくなるように送信電力制御を行う。
【０１１３】
拡散処理及び多重化する際は、拡散率、符号多重数及び拡散符号数を全てのサブキャリア若しくは全てのユーザについて同一とする。ここで、拡散符号数は、１つのユーザに割り当てる拡散符号の数である。また、符号多重数は、キャリア毎の多重数であり、何ユーザ（何コード）多重するかによって決まる。
【０１１４】
図５は、５つのグループに分けた符号分割多重信号を各サブキャリアに配置した状態を示した図であり、図６は、図５のようにグループ分けした各サブキャリアの配置を図３と同様の方法により示した図である。グループ１（Ｇ１）は、サブキャリア＃１〜＃ｍからなり、グループ２（Ｇ２）は、サブキャリア＃ｍ＋１〜＃２ｍからなり、グループ３（Ｇ３）は、サブキャリア＃２ｍ＋１〜＃３ｍからなり、グループ４（Ｇ４）は、サブキャリア＃３ｍ＋１〜＃４ｍからなり、グループ５（Ｇ５）は、サブキャリア＃４ｍ＋１〜＃ｍ５からなる。周波数領域Ｗ１０にはグループ１のサブキャリアが含まれており、周波数領域Ｗ１１にはグループ２、３、４のサブキャリアが含まれており、周波数領域Ｗ１２にはグループ５のサブキャリアが含まれる。
【０１１５】
一般に、隣接チャネル干渉波の影響は、グループ１、５のサブキャリアが一番大きく、グループ２、４のサブキャリアが次に大きく、グループ３のサブキャリアが一番少ない。したがって、グループ１、５のサブキャリアには、通常の品質で構わないパリティビットデータが配置され、グループ２、３、４のサブキャリアには、良好な品質が要求されるシステマティックビットデータが配置される。
【０１１６】
次に、拡散処理及び多重化する際の拡散率、符号多重数及び拡散符号数を、上記のように全てのサブキャリア若しくは全てのユーザで同一にする場合以外の他の例について説明する。拡散率、符号多重数及び拡散符号数を全てのサブキャリア若しくは全てのユーザで同一にする場合以外の例として、以下の方法が適用可能である。
【０１１７】
最初に、拡散率を送信データに応じて変化させる場合について説明する。拡散部４０１は、任意の拡散比を選択することが可能である。また、拡散部４０１は、システマティックビットデータとパリティビットデータとの拡散比を各々独立して選択し、選択した拡散比にてシステマティックビットデータとパリティビットデータとを各々独立して拡散処理することが可能である。拡散比を大きくした場合は、１シンボルについての拡散チップのタップ長が長くなるので、逆拡散の精度を高くすることができ、受信側で精度良く送信データを復元することができる。
【０１１８】
したがって、図５及び図６より、中心周波数付近のサブキャリアであるグループ２、３、４に配置されたシステマティックビットデータの拡散比を両端周波数側のサブキャリアであるグループ１、５に配置されたパリティビットデータの拡散比よりも大きくする。なお、システマティックビットデータの拡散比をパリティビットデータの拡散比よりも大きくする場合に限らず、パリティビットデータの拡散比をシステマティックビットデータの拡散比よりも大きくしても良い。
【０１１９】
次に、符号多重数を送信データに応じて変化させる場合について説明する。ＯＦＤＭ部１０４は、任意の符号多重数を選択することが可能である。また、ＯＦＤＭ部１０４は、システマティックビットデータとパリティビットデータとの符号多重数を各々独立して選択し、選択した符号多重数にてシステマティックビットデータとパリティビットデータとを各々独立して符号多重化することが可能である。符号多重数を少なくしたサブキャリアは、他のサブキャリアより送信電力は低い。このため、さらに送信電力を高くすることが可能であり、隣接チャネル干渉波やアナログフィルタの劣化が存在する場合の誤り率特性をさらに向上させることが可能である。
【０１２０】
したがって、図５及び図６より、中心周波数付近のサブキャリアであるグループ２、３、４に配置されたシステマティックビットデータの符号多重数を両端周波数側のサブキャリアであるグループ１、５に配置されたパリティビットデータの符号多重数よりも少なくする。なお、システマティックビットデータの符号多重数をパリティビットデータの符号多重数よりも少なくする場合に限らず、パリティビットデータの符号多重数をシステマティックビットデータの符号多重数よりも少なくしても良い。
【０１２１】
次に、割り当て拡散符号数を送信データに応じて変化させる場合について説明する。拡散部４０１は、任意の拡散符号数を選択することが可能である。また、拡散部４０１は、システマティックビットデータとパリティビットデータとで割り当てる拡散符号数を各々独立して選択し、選択した拡散符号数にてシステマティックビットデータとパリティビットデータとを各々独立して拡散処理することが可能である。マルチパス環境下では、遅延波によって拡散符号間の直交性が崩れるが、拡散符号によって直交性の崩れが大きい符号と直交性の崩れが小さい符号とがある。このため、マルチコード伝送によって、ダイバーシチ効果が得られ、誤り率特性をさらに向上させることが可能である。
【０１２２】
したがって、図５及び図６より、中心周波数付近のサブキャリアであるグループ２、３、４に配置されたシステマティックビットデータの符号多重数を両端周波数側のサブキャリアであるグループ１、５に配置されたパリティビットデータの符号多重数よりも多くする。なお、システマティックビットデータに割り当てられる拡散符号数をパリティビットデータに割り当てられる拡散符号数よりも多くする場合に限らず、パリティビットデータに割り当てられる拡散符号数をシステマティックビットデータに割り当てられる拡散符号数よりも多くしても良い。
【０１２３】
ここで、システマティックビットデータが配置されるサブキャリアの周波数領域Ｗ１１は、隣接チャネル干渉波の受信レベルに応じて変更される。即ち、隣接チャネル干渉波受信レベルが高い場合は、システマティックビットデータが配置される周波数領域Ｗ１１の範囲を狭くし、隣接チャネル干渉波受信レベルが低い場合は、システマティックビットデータが配置される周波数領域Ｗ１１の範囲を広くする。周波数領域Ｗ１１の変更に応じて、グループ１〜５に割り当てられているサブキャリアも変更される。
【０１２４】
このように、本実施の形態におけるマルチキャリア送信装置及びマルチキャリア送信方法によれば、上記実施の形態１の効果に加えて、送信データを拡散処理して直交周波数分割多重化するＯＦＤＭ−ＣＤＭＡ通信方式により送信することとしたので、周波数利用効率を低下させずに、他のセルからの干渉が存在する場合でも誤り率特性を向上させることができる。また、システマティックビットデータの拡散比をパリティビットデータの拡散比よりも大きくする場合は、受信側にてシステマティックビットデータを精度良く復元することができるため、良好な品質を要求されるシステマティックビットデータの誤り率特性を向上させることができる。また、システマティックビットデータの符号多重数をパリティビットデータの符号多重数よりも少なくする場合は、システマティックビットデータの送信電力を高くすることができるため、良好な品質を要求されるシステマティックビットデータの誤り率特性を向上させることができる。また、システマティックビットデータの符号多重数をパリティビットデータの符号多重数よりも多くする場合は、システマティックビットデータにおけるダイバーシチ効果により、良好な品質を要求されるシステマティックビットデータの誤り率特性を向上させることができる。
【０１２５】
なお、本実施の形態においては、サブキャリアを５つのグループに分けたが、必ずしも５つのグループに分ける必要はなく、５つのグループ以外のグループ数でも良い。また、送信データは、システマティックビットデータ及びパリティビットデータに限らず、システマティックビットデータ及びパリティビットデータ以外の要求される品質が異なるデータであっても良い。この場合は、符号化部１０１はターボ符号器以外の符号器が適用できる。
【０１２６】
（実施の形態３）
図７は、本発明の実施の形態３に係るマルチキャリア送信装置７００の構成を示す図であり、図８は、制御部７０２の構成を示す図である。本実施の形態は、誤り訂正符号としてターボ符号を用い、システマティックビットデータとパリティビットデータとを各々独立して適応変調する点を特徴とするものである。
【０１２７】
なお、本実施の形態は、図７において変調部７０１を変調部７０１ａ及び変調部７０１ｂとから構成し、制御部７０２を設ける構成が図１と相違しており、その他の構成は図１と同一構成であるので、同一の符号を付してその説明を省略する。
【０１２８】
制御部７０２は、ＲＳＳＩ（Ｒｅｃｅｉｖｅｄ  Ｓｉｇｎａｌ  Ｓｔｒｅｎｇｔｈ  Ｉｎｄｉｃａｔｏｒ）信号レベルに基づいて設定した変調方式にする制御信号を変調部７０１ａ及び変調部７０１ｂへ出力する。制御部７０２は、変調方式を設定する際に、システマティックビットデータを変調する際の変調方式を設定するためのしきい値αとパリティビットデータを変調する際の変調方式を設定するためのしきい値βとの２種類のしきい値を用いる。そして、ＲＳＳＩ信号レベルがしきい値α以上であれば、回線品質が良好なものと推定し、システマティックビットデータの変調方式を１６ＱＡＭ変調方式に設定する制御信号を変調部７０１ａへ出力する。また、ＲＳＳＩ信号レベルがしきい値β以上であれば、回線品質が良好なものと推定し、パリティビットデータの変調方式を１６ＱＡＭ変調方式に設定する制御信号を変調部７０１ｂへ出力する。
【０１２９】
一方、制御部７０２は、ＲＳＳＩ信号レベルがしきい値α未満であれば、回線品質が低下しているものと推定し、システマティックビットデータの変調方式をＱＰＳＫ変調方式に設定する制御信号を変調部７０１ａへ出力する。また、ＲＳＳＩ信号レベルがしきい値β未満であれば、回線品質が低下しているものと推定し、パリティビットデータの変調方式をＱＰＳＫ変調方式に設定する制御信号を変調部７０１ｂへ出力する。なお、現在通信中であって、且つ、制御部７０２における判定の結果、現在用いている変調方式を継続して用いる場合は、制御部７０２は、制御信号を変調部７０１ａ及び変調部７０１ｂへ出力しない。なお、制御部７０２の構成の詳細については後述する。
【０１３０】
変調部７０１ａは、制御部７０２から入力した制御信号に基づいて、符号化部１０１から入力したシステマティックビットデータに対して、ＱＰＳＫ変調若しくは１６ＱＡＭ変調を行って、サブキャリア配置部１０３へ出力する。
【０１３１】
変調部７０１ｂは、制御部７０２から入力した制御信号に基づいて、符号化部１０１から入力したパリティビットデータに対して、ＱＰＳＫ変調若しくは１６ＱＡＭ変調の適応変調を行って、サブキャリア配置部１０３へ出力する。
【０１３２】
次に、制御部７０２の構成の詳細について、図８を用いて説明する。制御部７０２は、第１の判定制御部８０１及び第２の判定制御部８０２とから主に構成される。
【０１３３】
第１の判定制御部８０１は、ＲＳＳＩ信号レベルが、あらかじめ設定したしきい値α以上であれば変調方式を１６ＱＡＭに設定する制御信号を変調部７０１ａへ出力する。一方、ＲＳＳＩ信号レベルが、しきい値α（図示省略）未満であれば変調方式をＱＰＳＫに設定する制御信号を変調部７０１ａへ出力する。
【０１３４】
第２の判定制御部８０２は、ＲＳＳＩ信号レベルが、あらかじめ設定したしきい値β以上であれば変調方式を１６ＱＡＭに設定する制御信号を変調部７０１ｂへ出力する。一方、ＲＳＳＩ信号レベルが、しきい値β（図示省略）未満であれば変調方式をＱＰＳＫに設定する制御信号を変調部７０１ｂへ出力する。
【０１３５】
システマティックビットデータは、パリティビットデータよりも良好な通信品質が要求されるため、しきい値αは、しきい値βよりも低いＲＳＳＩ信号レベルに設定する。
【０１３６】
変調部７０１ａ、７０１ｂにおいて、独立して適応変調されたシステマティックビットデータとパリティビットデータは、ＯＦＤＭ部１０４において直交周波数分割多重化された後は、両端付近のサブキャリアにはパリティビットデータが配置され、中心周波数Ｆ１付近のサブキャリアにはシステマティックビットデータが配置される。
【０１３７】
このように、本実施の形態におけるマルチキャリア送信装置及びマルチキャリア送信方法によれば、上記実施の形態１の効果に加えて、システマティックビットデータとパリティビットデータとを通信品質に応じて適応変調するため、良好な品質が要求されるシステマティックビットデータを変調多値数が少ない変調方式により変調するとともに、パリティビットデータを変調多値数が多い変調方式により変調することにより、パリティビットデータを両端付近のサブキャリアに配置してもパリティビットデータの誤り率特性の劣化を低下させることができる。また、システマティックビットデータとパリティビットデータとを通信品質に応じて適応変調するため、誤り率特性の向上と伝送効率の向上との両立を図ることができる。また、制御部７０２において、システマティックビットデータとパリティビットデータは、異なるしきい値α及びしきい値βと比較するので、通信品質の変化に柔軟に対応させて誤り率特性の向上と伝送効率の向上との両立を図ることができる。
【０１３８】
なお、本実施の形態においては、システマティックビットデータとパリティビットデータとの両方を適応変調することとしたが、システマティックビットデータまたはパリティビットデータのいずれか一方を固定した変調方式とし、いずれか他方のみを適応変調するようにしても良い。また、本実施の形態は、制御部７０２において、ＲＳＳＩ信号レベルとしきい値α及びしきい値βとを比較することとしたが、ＲＳＳＩ信号に限らずＲＳＳＩ信号以外の回線品質を示す信号等としきい値α及びしきい値βとを比較するようにしても良い。また、本実施の形態は、しきい値α及びしきい値βの値を異なる値にしたが、しきい値αとしきい値βを同一の値に設定しても良いし、しきい値αの値が、しきい値βの値よりも小さくなるようにしても良い。また、１６ＱＡＭ及びＱＰＳＫ以外のＢＰＳＫ等の変調方式により適応変調を行っても良い。また、システマティックビットデータを変調部７０１ａで変調するとともにパリティビットデータを変調部７０１ｂで変調することとしたが、１つの変調部によりシステマティックビットとパリティビットとを独立して適応変調するようにしても良い。また、送信データは、システマティックビットデータ及びパリティビットデータに限らず、システマティックビットデータ及びパリティビットデータ以外の要求される品質が異なるデータであっても良い。この場合は、符号化部１０１はターボ符号器以外の符号器が適用できる。
【０１３９】
（実施の形態４）
図９は、本発明の実施の形態４に係るマルチキャリア送信装置９００の構成を示す図である。本実施の形態は、誤り訂正符号としてターボ符号を用い、システマティックビットデータとパリティビットデータとを各々独立して適応変調することに加えて、パリティビットデータについては隣接チャネル干渉波受信レベルとしきい値βとを比較して変調方式を設定する点を特徴とするものである。
【０１４０】
なお、本実施の形態は、図９において変調部７０１を変調部７０１ａ及び変調部７０１ｂとから構成し、制御部９０１、９０２を設ける構成が図１と相違しており、その他の構成は図１と同一構成であるので、同一の符号を付してその説明を省略する。また、変調部７０１ａ、７０１ｂの構成及び動作は、上記実施の形態３と同一であるので、その説明を省略する。
【０１４１】
制御部９０１は、ＲＳＳＩ信号レベルに基づいて設定した変調方式にする制御信号を変調部７０１ａへ出力する。即ち、ＲＳＳＩ信号レベルがしきい値α以上であれば、システマティックビットデータの変調方式を１６ＱＡＭ変調方式に設定する制御信号を変調部７０１ａへ出力する。
【０１４２】
一方、制御部９０１は、ＲＳＳＩ信号レベルがしきい値α未満であれば、システマティックビットデータの変調方式をＱＰＳＫ変調方式に設定する制御信号を変調部７０１ａへ出力する。
【０１４３】
制御部９０２は、隣接チャネル干渉波受信レベルに基づいて設定した変調方式にする制御信号を変調部７０１ｂへ出力する。即ち、隣接チャネル干渉波受信レベルがしきい値β以上であれば、パリティビットデータの変調方式をＱＰＳＫ変調方式に設定する制御信号を変調部７０１ｂへ出力する。隣接チャネル干渉波受信レベルを測定する方法は、図示しない無線部の隣接チャネル除去用フィルタの前後のレベル差を検出する方法若しくは送信も受信もしていない時間帯に、隣接チャネルの周波数に周波数を切り替えてレベルを測定する方法等がある。
【０１４４】
一方、制御部９０２は、隣接チャネル干渉波受信レベルがしきい値β未満であれば、パリティビットデータの変調方式を１６ＱＡＭ変調方式に設定する制御信号を変調部７０１ｂへ出力する。
【０１４５】
このように、本実施の形態におけるマルチキャリア送信装置及びマルチキャリア送信方法によれば、上記実施の形態１及び実施の形態３の効果に加えて、隣接チャネル干渉波受信レベルに応じてパリティビットデータを適応変調するため、隣接チャネル干渉波受信レベルが大きい時に、パリティビットデータを変調多値数の少ない変調方式にして変調できるので、パリティビットデータを両端付近のサブキャリアに配置してもパリティビットデータの誤り率特性の劣化を低下させることができる。
【０１４６】
なお、本実施の形態においては、システマティックビットデータとパリティビットデータとの両方を適応変調することとしたが、システマティックビットデータまたはパリティビットデータのいずれか一方を固定した変調方式とし、いずれか他方のみを適応変調するようにしても良い。また、本実施の形態は、制御部９０１において、ＲＳＳＩ信号レベルとしきい値αとを比較することとしたが、ＲＳＳＩ信号に限らずＲＳＳＩ信号以外の回線品質を示す信号等としきい値αとを比較するようにしても良く、例えば隣接チャネル干渉波受信レベルとしきい値αとを比較するようにしても良い。また、１６ＱＡＭ及びＱＰＳＫ以外の変調方式により適応変調を行っても良い。また、システマティックビットデータを変調部７０１ａで変調するとともにパリティビットデータを変調部７０１ｂで変調することとしたが、１つの変調部によりシステマティックビットとパリティビットとを独立して適応変調するようにしても良い。また、送信データは、システマティックビットデータ及びパリティビットデータに限らず、システマティックビットデータ及びパリティビットデータ以外の要求される品質が異なるデータであっても良い。この場合は、符号化部１０１はターボ符号器以外の符号器が適用できる。
【０１４７】
（実施の形態５）
図１０は、本発明の実施の形態５に係るマルチキャリア送信装置１０００の構成を示す図である。基地局から比較的遠く離れたユーザほど、多くのセルからの隣接チャネル干渉波の影響を強く受けるため、回線品質の劣化が大きい。本実施の形態は、基地局から比較的遠く離れたユーザのデータは中心周波数付近のサブキャリアに配置することを特徴とする。
【０１４８】
本実施の形態は、図１０においてシリアル／パラレル（以下「Ｓ／Ｐ」と記載する）変換部１００１を設ける構成が図１と相違しており、その他の構成は図１と同一構成であるので、その説明を省略する。
【０１４９】
Ｓ／Ｐ変換部１００１は、図示しないユーザ情報蓄積部から入力したユーザ情報に基づいて、近くにいるユーザへ送信する送信データと遠くにいるユーザへ送信する送信データとを分けて、各々の送信データをサブキャリア配置部１０３へ出力する。
【０１５０】
サブキャリア配置部１０３は、近くにいるユーザへ送信する送信データは、図３における周波数領域Ｗ１のサブキャリアに配置され、遠くにいるユーザへ送信する送信データは周波数領域Ｗ２のサブキャリアに配置されるように送信データの並び替えを行い、並び替えて送信データをＯＦＤＭ部１０４へ出力する。
【０１５１】
このように、本実施の形態におけるマルチキャリア送信装置及びマルチキャリア送信方法によれば、中心周波数付近のサブキャリアに遠くにいるユーザへ送信する送信データを配置し、両端付近のサブキャリアに近くにいるユーザへ送信する送信データを配置するので、伝送効率を低下させずに、基地局から比較的遠く離れたユーザの送信データの回線品質を向上させることができる。また、中心周波数付近のサブキャリアに配置されている遠くのユーザへ送信する送信データの送信電力を、両端周波数側のサブキャリアに配置されている近くにいるユーザへ送信する送信データの送信電力よりも大きくなるように送信電力制御を行うので、遠くのユーザへ送信する送信データの誤り率特性を向上させることができる。
【０１５２】
なお、本実施の形態においては、ターボ符号器を用いて誤り訂正する場合とターボ符号器以外の符号器を用いて誤り訂正する場合の両方に適応することができる。ターボ符号器を用いて誤り訂正する場合は、基地局から比較的遠く離れたユーザの送信データを配置したサブキャリアのうち、さらに中心周波数付近のサブキャリアにシステマティックビットデータを配置するようにしても良い。また、本実施の形態は、Ｓ／Ｐ変換部１００１から出力される送信データを、基地局近くにいるユーザの送信データと基地局から比較的遠く離れたユーザの送信データとの２つに分けて出力することとしたが、基地局近くにいるユーザの送信データと基地局から比較的遠く離れたユーザの送信データとの２つに分ける場合に限らず、ユーザの距離等に応じて３つ以上の送信データに分けて出力するようにしても良い。
【０１５３】
（実施の形態６）
図１１は、本発明の実施の形態６に係るマルチキャリア送信装置１１００の構成を示す図である。本実施の形態は、システマティックビットデータとパリティビットデータとを独立してインタリーブした後に、システマティックビットデータとパリティビットデータとを各キャリアに配置するための並び替えを行う点を特徴とするのものである。
【０１５４】
従来のマルチキャリア伝送を用いた通信方式では、周波数軸方向にインタリーブを行うことができるため、インタリーブは全サブキャリア一括して行っている。しかし、このような従来方法では、通常のデータよりも良好な品質が要求されるデータの一部が、両端付近のサブキャリアに配置されるため、通常のデータよりも良好な品質が要求されるデータの誤り率の改善効果が低下する。
【０１５５】
本実施の形態は、図１１においてインタリーブ部１１０１、１１０２を設ける構成が図１と相違しており、その他の構成は図１と同一構成であるので、その説明を省略する。
【０１５６】
インタリーブ部１１０１は、符号化部１０１にてターボ符号化されたシステマティックビットデータをインタリーブして変調部１０２へ出力する。
【０１５７】
インタリーブ部１１０２は、符号化部１０１にてターボ符号化されたパリティビットデータをインタリーブして変調部１０２へ出力する。
【０１５８】
このように、本実施の形態におけるマルチキャリア送信装置及びマルチキャリア送信方法によれば、上記実施の形態１の効果に加えて、システマティックビットデータとパリティビットデータとを独立してインタリーブした後にサブキャリア配置部１０３により送信データの並び替えを行うので、インタリーブによりシステマティックビットデータが両端周波数側のサブキャリアに配置されてしまうことを防止することができるため、システマティックビットデータの誤り率特性を向上させることができる。また、インタリーブを行うことにより、隣接チャネル干渉波の影響を受けやすい両端周波数側のサブキャリアに配置されるパリティビットデータに連続して誤りが生じても、パリティビットデータを正しく復調することができる。また、中心周波数Ｆ１付近のサブキャリアに配置されるシステマティックビットデータに連続して誤りが生じても、システマティックビットデータを正しく復調することができる。
【０１５９】
なお、本実施の形態においては、ターボ符号器を用いて誤り訂正することとしたが、ターボ符号器を用いて誤り訂正する場合に限らず、ターボ符号器以外の符号器を用いて誤り訂正した後に、良好な品質が要求される送信データと通常の品質で良い送信データとに分けて、良好な品質が要求される送信データと通常の品質で良い送信データとを各々独立してインタリーブしても良い。
【０１６０】
（実施の形態７）
図１２は、本発明の実施の形態７に係る送信データの各サブキャリアに対する配置を示した図である。一般にＯＦＤＭ−ＣＤＭＡ通信方式の無線装置では、図示しない無線送信部の増幅器に設けられているアナログ回路により直流オフセットが発生するので、直流点付近のサブキャリアにより伝送された信号の誤り率は、他のサブキャリアにより伝送された信号の誤り率よりも劣化する。
【０１６１】
本実施の形態は、この点に着目して、直流点を含むサブキャリアには良好な品質を要求される送信データを配置しないようにした。なお、マルチキャリア送信装置の構成は図１と同一構成であるため、その説明は省略する。
【０１６２】
サブキャリア配置部１０３は、直流点Ｐ１を含むサブキャリア１２０１を除いた中心周波数Ｆ１付近の領域Ｗ２１、Ｗ２２のサブキャリアに良好な品質が要求されるシステマティックビットデータが配置され、両端付近の領域Ｗ２０、Ｗ２３及び直流点Ｐ１を含むサブキャリア１２０１にパリティビットデータが配置されるように送信データの並び替えを行う。そして、ＯＦＤＭ部１０４にて直交周波数分割多重された送信データは、図１２に示すように、各サブキャリアに配置される。
【０１６３】
システマティックビットデータが配置されるサブキャリアの周波数領域Ｗ２１、Ｗ２２は、隣接チャネル干渉波の受信レベルに応じて変更される。即ち、隣接チャネル干渉波受信レベルが高い場合は、システマティックビットデータが配置される周波数領域Ｗ２１、Ｗ２２の範囲を狭くし、隣接チャネル干渉波受信レベルが低い場合は、システマティックビットデータが配置される周波数領域Ｗ２１、Ｗ２２の範囲を広くする。
【０１６４】
このように、本実施の形態におけるマルチキャリア送信装置及びマルチキャリア送信方法によれば、上記実施の形態１の効果に加えて、中心周波数Ｆ１のサブキャリアにはシステマティックビットデータを配置しないので、直流オフセットの影響により誤り率特性が劣化することを防ぐことができる。また、送信データは、システマティックビットデータ及びパリティビットデータに限らず、システマティックビットデータ及びパリティビットデータ以外の要求される品質が異なるデータであっても良い。この場合は、符号化部１０１はターボ符号器以外の符号器が適用できる。
【０１６５】
なお、本実施の形態においては、直流点Ｐ１は中心周波数Ｆ１と同じ周波数上に存在することとしたが、直流点Ｐ１は中心周波数Ｆ１と同じ周波数上に存在する場合に限らず、直流点と中心周波数とが異なる周波数上に存在する場合にも適用可能である。
【０１６６】
（実施の形態８）
図１３は、本発明の実施の形態８に係るマルチキャリア送信装置１３００の構成を示す図である。本実施の形態は、マルチキャリア通信方式において、誤り訂正符号としてターボ符号を用い、システマティックビットデータとパリティビットデータとを各々独立して適応変調してパリティビットデータを両端付近のサブキャリアに配置する送信装置において、ＲＳＳＩ信号に基づいて、パリティビットデータを配置したサブキャリアの一部を送信しないようにする点を特徴とするものである。
【０１６７】
本実施の形態は、選択部１３０１を設ける構成が図１と相違している。なお、図１と同一構成である部分は、同一の符号を付してその説明は省略する。
【０１６８】
選択部１３０１は、サブキャリア配置部１０３から入力した並び替えられた送信データにおいて、両端付近のサブキャリアに配置されるパリティビットデータの内から、送信しないようにしたサブキャリアに配置されるパリティビットデータが入力するタイミングとなったらパリティビットデータの代わりのヌル信号を選択し、選択したヌル信号を含むパリティビットデータとシステマティックビットデータをＯＦＤＭ部１０４へ出力する。
【０１６９】
選択部１３０１は、パリティビットデータを選択する際に、入力したＲＳＳＩ信号より、回線品質が悪い場合には送信しないサブキャリア数を少なくするので選択するヌル信号を少なくし、回線品質が良い場合には送信しないサブキャリアを多くするので選択するヌル信号を多くする。
【０１７０】
ここで、ＯＦＤＭやＭＣ−ＣＤＭＡの不要周波数成分は、両端のサイドローブが支配的となる。図１４に１サブキャリア分の信号スペクトラムを示す。図１４に示すように、サイドローブ成分は主ローブに近いほど大きい。実際には、図１４のスペクトラムが、サブキャリア数分だけ図１５のように並んでいるため、不要周波数成分すなわちサイドローブ成分は、両端のサブキャリアのサイドローブ成分が支配的となる。このため、パリティビットデータを両端付近のサブキャリアに配置し、パリティビットデータを配置したいくつかのサブキャリアを送信しないようにすることにより、サイドローブ成分も更に低減可能である。したがって、さらに不要周波数成分も低減可能となる。
【０１７１】
ＯＦＤＭ部１０４にて直交周波数分割多重処理された送信データは、図１６に示すように、周波数領域Ｗ３０、Ｗ３２にはパリティビットデータが配置され、周波数領域Ｗ３１にはシステマティックビットデータが配置される。ここで、サブキャリア１４０１、１４０２、１４０３、１４０４は、送信されないサブキャリアであり、サブキャリア１４０１、１４０２、１４０３、１４０４の代わりにヌル信号が送信される。
【０１７２】
因みに、ＯＦＤＭやＭＣ−ＣＤＭＡのようなマルチキャリア通信方式は、ピーク電力を低減する方法として、いくつかのサブキャリアを送信しないようにする場合には、誤り率特性が劣化するという問題が生じる。ここで、誤り訂正符号としてターボ符号を用いた場合、システマティックビットデータはパリティビットデータよりも良好な品質が要求される。したがって、パリティビットデータを配置したサブキャリアを送信しないようにすることにより、誤り率特性とピーク電力低減の両立を図ることができる。
【０１７３】
このように、本実施の形態におけるマルチキャリア送信装置及びマルチキャリア送信方法によれば、上記実施の形態１の効果に加えて、両端付近のサブキャリアに配置したパリティビットデータのいくつかを送信しないようにするとともに、送信しないようにするのはシステマティックビットデータと比較して、それほど高い品質が要求されないパリティビットデータであるため、誤り率をほとんど低下させずに、ピーク電力を低減することができて帯域外漏洩を低減することができる。
【０１７４】
なお、本実施の形態においては、ＲＳＳＩ信号に基づいて、ヌル信号を選択することとしたが、ＲＳＳＩ信号に基づいてヌル信号を選択する場合に限らず、任意の回線品質情報を用いてヌル信号を選択することができる。また、本実施の形態においては、送信しないサブキャリア数を４つにしたが、送信しないサブキャリア数は４つに限らず、任意の数にすることができ、送信しないサブキャリアも任意に選択可能である。
【０１７５】
（実施の形態９）
図１７は、本発明の実施の形態９に係るマルチキャリア送信装置１７００の構成を示す図である。本実施の形態は、選択部において、遅延分散情報に基づいて、パリティビットデータを配置したサブキャリアの一部を送信しないようにする点を特徴とするものである。
【０１７６】
本実施の形態は、選択部１７０１を設ける構成が図１と相違している。なお、図１と同一構成である部分は、同一の符号を付してその説明は省略する。
【０１７７】
選択部１７０１は、サブキャリア配置部１０３から入力した並び替えられた送信データにおいて、遅延分散情報に基づいて両端付近のサブキャリアに配置されるパリティビットデータの内から、送信しないようにしたサブキャリアに配置されるパリティビットデータが入力するタイミングとなったらヌル信号をパリティビットデータの代わりに選択し、選択したヌル信号を含むパリティビットデータとシステマティックビットデータをＯＦＤＭ部１０４へ出力する。
【０１７８】
選択部１７０１は、パリティビットデータを選択する際に、入力した遅延分散情報より、遅延分散が大きい場合には送信しないサブキャリアを少なくするので選択するヌル信号を少なくし、遅延分散が小さい場合には送信しないサブキャリアを多くするので選択するヌル信号を多くする。遅延分散情報は、通信相手から送信信号に含められて通知されるため、受信信号より抽出するものである。
【０１７９】
次に、遅延分散情報生成部１８００について、図１８を用いて説明する。遅延分散情報生成部１８００は、遅延回路１８０１、減算回路１８０２、絶対値化回路１８０３及び平均化回路１８０４とから主に構成される。
【０１８０】
遅延回路１８０１は、受信信号のプリアンブルをＦＦＴ処理した後の信号が入力し、入力した信号に遅延を与えて減算回路１８０２へ出力する。
【０１８１】
減算回路１８０２は、隣り合ったサブキャリアの信号レベルの差を算出して絶対値化回路１８０３へ出力する。
【０１８２】
絶対値化回路１８０３は、減算回路１８０２から入力した減算結果を絶対値化して平均化回路１８０４へ出力する。
【０１８３】
平均化回路１８０４は、絶対値化回路１８０３から入力した受信レベル差の絶対値をサブキャリア数分平均して遅延分散情報が得られる。このようにして得られた遅延分散情報は、通信相手において送信信号に含められて送信される。
【０１８４】
遅延分散情報は、通信相手において求めて通信相手から通知してもらう場合に限らず、受信信号より図１８の回路を用いて遅延分散を検出するようにしても良い。受信信号より遅延分散を検出する場合は、ＴＤＤ通信方式等において可能である。なお、ＯＦＤＭ部１０４にて直交周波数分割多重処理された後の各サブキャリアに配置される送信データは、図１６と同一であるので、その説明は省略する。
【０１８５】
このように本実施の形態におけるマルチキャリア送信装置及びマルチキャリア送信方法によれば、上記実施の形態１の効果に加えて、両端付近のサブキャリアに配置したパリティビットデータのいくつかを送信しないようにするとともに、送信しないようにするのはシステマティックビットデータと比較して、それほど高い品質が要求されないパリティビットデータであるため、誤り率をほとんど低下させずに、ピーク電力の低減を低減することができて帯域外漏洩を低減することができる。また、遅延分散情報に基づいて、送信するサブキャリアに配置されるパリティビットデータを選択するので、一時的な送信データの遅延であるために送信しないサブキャリア数を変える必要がない場合に、不用意に送信しないサブキャリア数を変えてしまうことにより、ピーク電力が高くなりすぎて帯域外漏洩が大きくなることまたは誤り率特性が劣化することを防ぐことができる。
【０１８６】
（実施の形態１０）
図１９は、本発明の実施の形態１０に係るマルチキャリア送信装置１９００の構成を示す図である。本実施の形態は、選択部において、受信レベル情報に基づいて、パリティビットデータを配置したサブキャリアの一部を送信しないようにする点を特徴とするものである。
【０１８７】
本実施の形態は、選択部１９０１を設ける構成が図１と相違している。なお、図１と同一構成である部分は、同一の符号を付してその説明は省略する。
【０１８８】
アクセス方式としてＴＤＤを用いた場合、上り回線と下り回線とで伝搬路が同じであるため、受信レベルが落ち込んだサブキャリアを優先的に送信しないようにする方法もある。受信レベルが落ち込んだサブキャリアを優先的に送信しないようにすることにより、さらに誤り率特性の劣化とピーク電力の低減及び不要周波数成分の低減の両立を図ることができる。
【０１８９】
選択部１９０１は、サブキャリア配置部１０３から入力した並び替えられた送信データにおいて、受信レベル情報に基づいて、両端付近のサブキャリアに配置されるパリティビットデータの内から、送信しないようにしたサブキャリアに配置されるパリティビットデータが入力するタイミングとなったらパリティビットデータの代わりにヌル信号を選択し、選択したヌル信号を含むパリティビットデータとシステマティックビットデータをＯＦＤＭ部１０４へ出力する。
【０１９０】
選択部１９０１は、パリティビットデータを選択する際に、入力したサブキャリア毎の受信レベル情報より、受信レベルが低下しているサブキャリアに配置されるパリティビットデータの代わりにヌル信号を選択し、システマティックビットデータとヌル信号を含むパリティビットデータとを選択する。受信レベルが低下しているか否かの判断は、所定のしきい値により判断する場合や他のサブキャリアの受信レベルとの比較により相対的に判断する場合等の任意方法による判断が可能である。なお、ＯＦＤＭ部１０４にて直交周波数分割多重処理された後の各サブキャリアに配置される送信データは、図１６と同一であるので、その説明は省略する。
【０１９１】
このように本実施の形態におけるマルチキャリア送信装置及びマルチキャリア送信方法によれば、上記実施の形態１の効果に加えて、両端付近のサブキャリアに配置したパリティビットデータのいくつかを送信しないようにするとともに、送信しないようにするのはシステマティックビットデータと比較して、それほど高い品質が要求されないパリティビットデータであるため、誤り率をほとんど低下させずに、ピーク電力の低減を低減することができて帯域外漏洩を低減することができる。また、受信レベル情報に基づいてヌル信号を選択するので、受信レベルが低下したサブキャリアに配置されたパリティビットデータは、次の送信の際には送信しないようにするので、さらに誤り率特性とピーク電力の低減及び不要周波数成分の低減との両立を図ることができる。
【０１９２】
（実施の形態１１）
図２０は、本発明の実施の形態１１に係るマルチキャリア送信装置２０００の構成を示す図である。本実施の形態は、選択部において、隣接チャネル干渉波受信レベル情報に基づいて、パリティビットデータを配置したサブキャリアの一部を送信しないようにする点を特徴とするものである。
【０１９３】
本実施の形態は、選択部２００１を設ける構成が図１と相違している。なお、図１と同一構成である部分は、同一の符号を付してその説明は省略する。
【０１９４】
送信しないサブキャリア数は、隣接チャネル干渉波受信レベルも考慮して決定する方法も有効である。隣接チャネル干渉波受信レベルが大きいほど、両端のサブキャリアの品質は悪くなる。このため、両端のサブキャリアについて送信しないサブキャリア数を多くした方がかえって誤り率特性が向上する場合がある。また、当然、ピーク電力及び不要周波数成分は少なくなることはいうまでもない。
【０１９５】
選択部２００１は、サブキャリア配置部１０３から入力した並び替えられた送信データにおいて、隣接チャネル干渉波受信レベルの影響が最も大きい両端のサブキャリアに配置されるパリティビットデータの代わりにヌル信号を選択し、システマティックビットデータと選択したヌル信号を含むパリティビットデータとをＯＦＤＭ部１０４へ出力する。
【０１９６】
ＯＦＤＭ部１０４にて直交周波数分割多重処理された送信データは、図２１に示すように、周波数領域Ｗ４０、Ｗ４２にはパリティビットデータが配置され、周波数領域Ｗ４１にはシステマティックビットデータが配置される。ここで、両端のサブキャリア２１０１、２１０２は、送信されないサブキャリアであり、サブキャリア２１０１、２１０２の代わりにヌル信号が送信される。
【０１９７】
このように本実施の形態におけるマルチキャリア送信装置及びマルチキャリア送信方法によれば、上記実施の形態１の効果に加えて、両端付近のサブキャリアに配置したパリティビットデータのいくつかを送信しないようにするとともに、送信しないようにするのはシステマティックビットデータと比較して、それほど高い品質が要求されないパリティビットデータであるため、誤り率をほとんど低下させずに、ピーク電力の低減を低減することができて帯域外漏洩を低減することができる。また、隣接チャネル干渉波受信レベルの影響が最も大きい両端のサブキャリアを送信しないので、誤り率特性を劣化させずにピーク電力の低減と不要周波数成分の低減を図ることができる。
【０１９８】
なお、本実施の形態においては、送信しないサブキャリア数を２つにしたが、送信しないサブキャリア数は２つに限らず、両端から中心周波数側の任意の数のサブキャリアを送信しないようにすることができる。
【０１９９】
上記実施の形態１から実施の形態１１におけるマルチキャリア送信装置及びマルチキャリア送信方法は、基地局装置及び通信端末装置に適用することが可能である。
【０２００】
【発明の効果】
以上説明したように、本発明によれば、良好な品質が要求される送信データの誤り率特性を格段に向上させて、かつ良好な品質が要求される送信データの品質の低下を防ぐことができる。
【図面の簡単な説明】
【図１】本発明の実施の形態１に係るマルチキャリア送信装置の構成を示すブロック図
【図２】本発明の実施の形態１に係る符号化部の構成を示すブロック図
【図３】各サブキャリアに対するデータの配置を示す図
【図４】本発明の実施の形態２に係るマルチキャリア送信装置の構成を示すブロック図
【図５】各サブキャリアに対するデータの配置を示す模式図
【図６】各サブキャリアに対するデータの配置を示す図
【図７】本発明の実施の形態３に係るマルチキャリア送信装置の構成を示すブロック図
【図８】本発明の実施の形態３に係る制御部の構成を示す図
【図９】本発明の実施の形態４に係るマルチキャリア送信装置の構成を示すブロック図
【図１０】本発明の実施の形態５に係るマルチキャリア送信装置の構成を示すブロック図
【図１１】本発明の実施の形態６に係るマルチキャリア送信装置の構成を示すブロック図
【図１２】各サブキャリアにおけるデータの配置を示す図
【図１３】本発明の実施の形態８に係るマルチキャリア送信装置の構成を示すブロック図
【図１４】１サブキャリア分の信号スペクトラムを示す図
【図１５】信号スペクトラムを示す図
【図１６】各サブキャリアに対するデータの配置を示す模式図
【図１７】本発明の実施の形態９に係るマルチキャリア送信装置の構成を示すブロック図
【図１８】本発明の実施の形態９に係る遅延分散情報生成部の構成を示すブロック図
【図１９】本発明の実施の形態１０に係るマルチキャリア送信装置の構成を示すブロック図
【図２０】本発明の実施の形態１１に係るマルチキャリア送信装置の構成を示すブロック図
【図２１】各サブキャリアに対するデータの配置を示す模式図
【符号の説明】
１０１  符号化部
１０２  変調部
１０３  サブキャリア配置部
１０４  ＯＦＤＭ部
１０５  アンプ
１０９  送信電力制御部
４０１  拡散部
７０１ａ、７０１ｂ  変調部
７０２、９０１、９０２  制御部
１１０１、１１０２  インタリーブ部
【図１】
2004187257.tif 000003
【図２】
2004187257.tif 000004
【図３】
2004187257.tif 000005
【図４】
2004187257.tif 000006
【図５】
2004187257.tif 000007
【図６】
2004187257.tif 000008
【図７】
2004187257.tif 000009
【図８】
2004187257.tif 000010
【図９】
2004187257.tif 000011
【図１０】
2004187257.tif 000012
【図１１】
2004187257.tif 000013
【図１２】
2004187257.tif 000014
【図１３】
2004187257.tif 000015
【図１４】
2004187257.tif 000016
【図１５】
2004187257.tif 000017
【図１６】
2004187257.tif 000018
【図１７】
2004187257.tif 000019
【図１８】
2004187257.tif 000020
【図１９】
2004187257.tif 000021
【図２０】
2004187257.tif 000022
【図２１】
2004187257.tif 000023